(57)【特許請求の範囲】
【請求項１】
槽内に定設された側開型の送水口と対向して脱着式水中ポンプの吐出口を側開型に形成し、槽内に立設した昇降ガイドの下方部の縁および後縁が傾斜状となって送水口の開口方向へ漸次接近した態様で槽内の側壁に定着され、昇降ガイドの前縁へ摺動自在に対向する前縁係合子と昇降ガイドの後縁へ摺動自在に対向する後縁係合子を脱着式水中ポンプの外側から張出させ、脱着式水中ポンプの下降時には前縁係合子が傾斜状前縁に沿って前方へ誘導されることにより脱着式水中ポンプの重量が推力となって吐出口と送水口が衝き合され、脱着式水中ポンプの上昇時には後縁係合子が傾斜状後縁に沿って後方へ誘導されることにより送水口から離脱するよう構成したことを特徴とする脱着式水中ポンプにおける脱着面の離接装置。
【発明の詳細な説明】
【０００１】
【発明の技術分野】
本発明は、例えばゲートポンプ設備におけるゲート躯体内へ装備される脱着式水中ポンプの脱着面の離接装置に関するものである。
【０００２】
【従来技術とその問題点】
従来、脱着式水中ポンプを槽内常設部分へ接続させるについては図７に示すよう、槽内に立設された昇降ガイド１０２に係合子１０８を係合させて下降する脱着式水中ポンプ１０３の下降限において、ポンプ吐出口１０６の上縁に有る係止爪Ｆ１が脱着ベンド等の送水口１０５の上縁Ｆ２へ係止してポンプ吐出口１０６と送水口１０５とが衝合し、脱着式水中ポンプ１０３の上昇時には係止爪Ｆ１が送水口１０５の上縁Ｆ２から離脱してポンプ吐出口１０６と送水口１０５とが分離するよう構成されている。
【０００３】
非脱着式の水中ポンプではポンプ吐出口と送水口とがパッキンを介したフランジ接合により、ボルト締めを施して結合されるため、ポンプ運転時において圧洩れを生じることはない。しかし脱着式水中ポンプでは前述のように、係止爪Ｆ１の係止のみによってポンプ吐出口１０６と送水口１０５とが衝合するに過ぎないため、ポンプ運転時において該衝合面から圧洩れを生じることになる。また、昇降ガイド１０２と係合子１０８との係合面間に少しでも遊びがあれば、脱着式水中ポンプ１０３の下降時において前後方向へ位置ずれや傾きを生じ、ポンプ吐出口１０６を送水口１０５の開口面へ衝き合せることができなくなるという欠点がある。
【０００４】
【発明の目的】
本発明の目的は、昇降ガイドに沿った脱着式水中ポンプの昇降作動が円滑に行われ、また、ポンプ吐出口と送水口との衝き合せが正確かつ強固に行われてポンプ運転時に圧洩れを生じることのない、脱着式水中ポンプにおける脱着面の離接装置を提供することにある。
【０００５】
【発明の構成】
本発明に係る脱着式水中ポンプにおける脱着面の離接装置では、槽内に定設された側開型の送水口と対向して脱着式水中ポンプの吐出口を側開型に形成し、槽内に立設した昇降ガイドの下方部の前縁および後縁が傾斜状となって送水口の開口方向へ漸次接近した態様で槽内の側壁に定着され、昇降ガイドの前縁へ摺動自在に対向する前縁係合子と昇降ガイドの後縁へ摺動自在に対向する後縁係合子を脱着式水中ポンプの外側から張出させ、脱着式水中ポンプの下降時には前縁係合子が傾斜状前縁に沿って前方へ誘導されることにより脱着式水中ポンプの重量が推力となって吐出口と送水口が衝き合され、脱着式水中ポンプの上昇時には後縁係合子が傾斜状後縁に沿って後方へ誘導されることにより送水口から離脱するよう構成した。
【０００６】
【実施例】
以下図１乃至図６により、ゲートポンプ設備を実施対象とした事例について説明をする。
【０００７】
１は水路中に設けられたゲート躯体であって、上面を開口した槽内に昇降ガイド２を立設し、該昇降ガイド２に沿って昇降される脱着式水中ポンプ３を装備する。４はゲート躯体１の内水側壁面１ａの下方部に開口された取水口、５は外水側壁面１ｂの上方部に開口された側開型の送水口である。６は該送水口５と対向して側開型に開口されたポンプ吐出口、７はポンプ吸込口である。昇降ガイド２の下方部はその前縁２ａおよび後縁２ｂが傾斜状となって放水口５の開口方向へ漸次接近した態様で槽内の側壁に定着されている。８ａは昇降ガイド２の前縁へ摺動自在に対向するよう脱着式水中ポンプ３の外側から張出された前縁係合子であり、脱着式水中ポンプ３の下降時には傾斜状前縁２ａへ摺接するよう形成されている。８ｂは昇降ガイド２の後縁へ摺動自在に対向するよう脱着式水中ポンプ３の外側から張出された後縁係合子であり、脱着式水中ポンプ３の下降時には傾斜状後縁２ｂへ摺接するよう形成されている。９は昇降操作用の吊下げチェーンである。
【０００８】
【作用】
脱着式水中ポンプ３が昇降ガイド２に沿って下降し始めたとき、後縁係合子８ｂが昇降ガイド２の後縁に摺接していることにより図１に示すよう、ポンプ吐出口６は送水口５の口周面から若干後方へ離隔しているが、脱着式水中ポンプ３が下降限に達する直前で前縁係合子８ａが傾斜状前縁２ａに当接し、該前縁２ａの傾斜に沿って前方へ誘導され図２に示すよう、ポンプ吐出口６と送水口５とが同心状に合致するとき、脱着式水中ポンプ３の重量が推力となって送水口５の口周面に作用し、ポンプ吐出口６と送水口５とが導通状態となる。このとき後縁係合子８ｂが傾斜状後縁２ｂに摺接する。そして脱着式水中ポンプ３が昇降ガイド２に沿って上昇し始めたとき、後縁係合子８ｂが上記傾斜状後縁２ｂの傾斜に沿って後方へ誘導されることによりポンプ吐出口６は送水口５の口周面から離隔した状態となり、この状態で脱着式水中ポンプ３は所定の上昇限まで上昇させられることになる。
【０００９】
【発明の効果】
本発明によれば、ポンプ吐出口６が送水口５の口周面から若干後方へ離隔した状態で脱着式水中ポンプ３が下降して行くので、その下降作動は円滑に行われ、下降限に達する直前で前縁係合子８ａが傾斜状前縁２ａの傾斜に沿って前方へ誘導されポンプ吐出口６と送水口５とが同心状に合致するとき両者の衝き合せ面は推力の作用で水密性が強固に保持され、ポンプ運転時において圧洩れを生じることがない。また、脱着式水中ポンプ３の上昇時には後縁係合子８ｂが傾斜状後縁２ｂの傾斜に沿って後方へ誘導され、ポンプ吐出口６と送水口５の口周面から離隔した状態で脱着式水中ポンプ３が上昇して行くので、その上昇作動は円滑に行われるのである。
【図面の簡単な説明】
【図１】  ゲートポンプ設備におけるゲート躯体内へ装備される脱着式水中ポンプの脱着面へ本発明離接装置を施した事例の要部縦断側面図であって、ポンプ吐出口が送水口の口周面から離隔している状態を示す。
【図２】  ゲートポンプ設備におけるゲート躯体内へ装備される脱着式水中ポンプの脱着面へ本発明離接装置を施した事例の要部縦断側面図であって、ポンプ吐出口が送水口の口周面へ当接している状態を示す。
【図３】  図１および図２におけるゲート躯体の縦断側面図である。
【図４】  図３のＡ−Ａ線矢視方向の断面図である。
【図５】  図１および図２における脱着式水中ポンプの正面図である。
【図６】  図１および図２における脱着式水中ポンプの側面図である。
【図７】  従来の脱着式水中ポンプにおける脱着面の離接装置を示した側面図である。
【符号の説明】
２      昇降ガイド
２ａ    傾斜状前縁
２ｂ    傾斜状後縁
３      脱着式水中ポンプ
５      送水口
６      ポンプ吐出口
８ａ    前縁係合子
８ｂ    後縁係合子
【図１】
0004518611.tif 000002
【図２】
0004518611.tif 000003
【図３】
0004518611.tif 000004
【図４】
0004518611.tif 000005
【図５】
0004518611.tif 000006
【図６】
0004518611.tif 000007
【図７】
0004518611.tif 000008